(57)【要約】      （修正有）【課題】栽培日数に応じて移植する必要がなく、水耕野菜の栽培をより便利且つ効率的に行うことができる、水耕野菜栽培装置を提供する。【解決手段】配列した複数の溝体１と、溝体に置かれた複数のスライド板２とからなる。スライド板は、溝体に跨って設けられるとともに、溝体に沿って可動に設けられる。スライド板上には、各溝体と対応し且つ吸着部品３２を収容部３１に有した固定フレーム３が設けられる。また、各溝体には培養液が入れられ、各固定フレームの吸着部品には野菜種子が置かれることにより、吸着部品が培養液を吸着して水耕野菜が培養・栽培される。更に、栽培日数に応じてスライド板を順に後方へ動かし、スライド板を溝体の最末端まで動かした後、成長した水耕野菜を収穫することができる。【選択図】図１
0003193516.tif 000002
【実用新案登録請求の範囲】
【請求項１】
並列した複数の溝体と、複数のスライド板と、複数の固定フレームとからなる水耕野菜栽培装置であって、
前記溝体は、培養液を入れるために用いられ、
前記スライド板は、前記溝体に跨って設けられるとともに、前記溝体に沿って可動に設けられ、
前記固定フレームは、前記スライド板上に設けられるとともに、吸着部品を有し、
前記吸着部品は、野菜種子を置くために用いられるとともに、水耕野菜を栽培するために培養液を吸着し、
以上の構造により、
栽培日数に応じて前記スライド板を順に後方へ動かし、前記スライド板を溝体の最末端まで動かした後、成長した水耕野菜を収穫することにより、便利且つ効率的に水耕野菜の栽培を行うことを特徴とする、水耕野菜栽培装置。
【請求項２】
前記溝体の外側上縁には、凸壁が設けられ、
前記スライド板の側縁には、下方へ折れ曲がった形状の掛止部が設けられ、
前記スライド板は、前記掛止部によって前記凸壁に係止されるとともに、前記溝体に沿ってスライド移動可能に設けられることを特徴とする、請求項１に記載の水耕野菜栽培装置。
【請求項３】
前記スライド板には、間隔を置いて配列されるとともに切欠状を呈した複数の嵌込部が設けられ、
前記固定フレームには、コの字状を呈した挟止部が設けられ、
前記固定フレームは、前記挟止部によって前記スライド板の嵌込部に嵌められて位置決めされることを特徴とする、請求項１に記載の水耕野菜栽培装置。
【請求項４】
前記固定フレームには、収容部が設けられ、
前記収容部には、前記吸着部品が収容されることを特徴とする、請求項１に記載の水耕野菜栽培装置。
【請求項５】
前記吸着部品は、スポンジであることを特徴とする、請求項１に記載の水耕野菜栽培装置。
【考案の詳細な説明】
【技術分野】
【０００１】
本考案は、水耕野菜栽培装置に関し、特に水耕野菜の栽培をより便利且つ効率的に行うことができる、水耕野菜栽培装置に関する。
【背景技術】
【０００２】
一般的に水耕野菜を栽培する時は、まず種子を栽培設備に蒔いてから、種子が培養液を吸収することにより、徐々に水耕野菜へと成長する。従来の水耕野菜は、成長過程において、栽培日数に応じて移植させる必要がある（例えば、１日目〜３日目は第１エリアに置き、４日目〜６日目は第２エリアに移し、７日目〜９日目は第３エリアに移すなど）。栽培日数を記録することにより、水耕野菜が最も良い生育状態の時に収穫できるものの、このような従来の栽培方法は、面倒で手間と時間を要するだけでなく、移植時に栽培日数を正しく記録しなければ、栽培結果に影響を与える可能性がある。
【考案の概要】
【考案が解決しようとする課題】
【０００３】
本考案は、水耕野菜を栽培する際、栽培日数に応じて移植する必要がなく、水耕野菜の栽培をより便利且つ効率的に行うことができる、水耕野菜栽培装置を提供することを目的とする。
【課題を解決するための手段】
【０００４】
上述の目的を達成するため、本考案の水耕野菜栽培装置は、配列した複数の溝体と、前記溝体に置かれた複数のスライド板とからなる。このうち、前記スライド板は、溝体に跨って設けられるとともに、溝体に沿って可動に設けられる。スライド板上には、各溝体と対応し且つ吸着部品を有した固定フレームが設けられる。また、各溝体には培養液が入れられ、各固定フレームの吸着部品には野菜種子が置かれることにより、吸着部品が培養液を吸着して水耕野菜が培養・栽培される。更に、栽培日数に応じてスライド板を順に後方へ動かし、スライド板を溝体の最末端まで動かした後、成長した水耕野菜を収穫することができる。以上により、水耕野菜の栽培がより便利且つ効率的になる。
【０００５】
前述した水耕野菜栽培装置における溝体は、外側上縁に凸壁が設けられる。また前記スライド板の側縁には、下方へ折れ曲がった形状の掛止部が設けられる。これによりスライド板は、掛止部によって凸壁に係止されるとともに、溝体に沿ってスライド移動する。
【０００６】
前述した水耕野菜栽培装置におけるスライド板には、間隔を置いて配列されるとともに切欠状を呈した複数の嵌込部が設けられる。また前記固定フレームには、コの字状を呈した挟止部が設けられる。これにより前記固定フレームは、挟止部によってスライド板の嵌込部に嵌められて位置決めされる。
【図面の簡単な説明】
【０００７】
【図１】本考案の斜視分解図である。
【図２】本考案のスライド板と固定フレームの斜視図である。
【図３】本考案のスライド板と固定フレームの斜視分解図である。
【図４】本考案の使用状態図（一）である。
【図５】本考案の使用状態図（二）である。
【図６Ａ】本考案の栽培状態図（一）である。
【図６Ｂ】本考案の栽培状態図（二）である。
【図６Ｃ】本考案の栽培状態図（三）である。
【図７】本考案の使用状態図（三）である。
【図８】本考案の使用状態図（四）である。
【考案を実施するための形態】
【０００８】
図１〜図３を参照する。図は、それぞれ本考案の斜視分解図、スライド板と固定フレームの斜視図及び斜視分解図である。図に示したように、本考案は、並列した複数の溝体１と、溝体１に設けられた複数のスライド板２と、スライド板２に設けられた複数の固定フレーム３とからなる。このうち、溝体１の外側上縁には、円弧状を呈した凸壁１１が設けられる。
【０００９】
スライド板２は、溝体１を跨ぐように設けられるとともに、スライド板２側縁には下方へ折れ曲がって円弧状を呈した掛止部２１が設けられる。スライド板２は、掛止部２１によって溝体１の凸壁１１に係止され、凸壁１１が支点となることにより、スライド板２が溝体１に沿ってスライド移動する。またスライド板２には、間隔を置いて配列されるとともに切欠状を呈した複数の嵌込部２２が設けられ、嵌込部２２の位置は各溝体１と対応する。
【００１０】
固定フレーム３には、枠状の収容部３１が設けられて吸着部品３２が収容されることにより、吸着部品３２が下方へ適切な長さまで延伸する。本実施例において、吸着部品３２は、スポンジ、或いは液体を吸着可能な材質である。また固定フレーム３の上縁には、コの字状を呈した挟止部３３が設けられる。これにより固定フレーム３は、挟止部３３によってスライド板２の嵌込部２２に嵌められて位置決めされるとともに、複数の固定フレーム３がスライド板２に固定される。
【００１１】
本考案の水耕野菜栽培装置は、前述の構成部品が組み合わされてなる。本考案を使用する際は、各溝体１に培養液を入れるとともに、各固定フレーム２の吸着部品３２に野菜種子を置く。吸着部品３２が培養液を吸着することにより、水耕野菜が培養・栽培される。更に、栽培日数に応じてスライド板２を溝体１に沿って順に後ろへスライドさせる。スライド板２を溝体１最末端までスライドさせれば、成長した水耕野菜を収穫することができる。以上により、栽培過程において、水耕野菜を移植させる必要がなくなるため、水耕野菜の栽培をより便利且つ効率的に行うことが可能になる。
【００１２】
（実施例１）
図４、図５を参照する。図は、本考案の使用状態図（一）、（二）である。また、図１も合わせて参照する。本考案の使用時、配列した溝体１内は、適切な間隔を置いて設けられた阻板１２によって、別々のエリアに分けられる。各エリアに、それぞれ培養液４を入れるとともに、野菜種子５を各固定フレーム２の吸着部品３２に置く。スライド板２を溝体１に跨るように設けるとともに、スライド板２を掛止部２１によって溝体１の凸壁１１に係止して位置決めする。以上により、固定フレーム２の吸着部品３２が培養液４を吸着して野菜種子５に養分を与え、野菜種子５が日毎に水耕野菜へと成長していく。本実施例において、一つ前のスライド板２を溝体１に置いてから数日後には、次のスライド板２を溝体１に置くことができる（例えば、一つ前のスライド板２を置いてから３日目）。更に、一つ前のスライド板２とその次のスライド板２の間には、適度な幅の阻板６を置くことにより、水耕野菜が成長するためのスペースが形成される。また阻板６は、水耕野菜のサイズに応じて定められる。以上のように、異なる日にちにスライド板２を置いていくと、先に置いたスライド板２が徐々に溝体１に向かって後方移動する。即ち、後方移動に伴い、徐々に栽培日数が増えていくことになる。一つ目のスライド板２が溝体１の最末端まで移動した時、機械アームで固定フレーム３を持ち上げて裏返せば、育った水耕野菜を取り出すことができる。このようにして、水耕野菜の栽培をより便利且つ効率的に行うことが可能になる。
【００１３】
前述した本考案の栽培過程は、前・後に植えた水耕野菜を順に配列させるとともに、溝体１に沿って順に後ろへ移動させ、所定の栽培日数の後、溝体１の最末端における最も先に植えた水耕野菜を収穫するというように、非常に便利である。また、従来の栽培方法のように水耕野菜を栽培日数に応じて移植し続ける必要がなくなるため、労力を省き、栽培効率を向上させることができる。
【００１４】
図６Ａ、図６Ｂ、図６Ｃを参照する。図は、本考案の栽培状態図（一）、（二）、（三）である。本考案において、阻板１２によって分けられたエリアは、異なる液位まで培養液４を入れるために用いられる。野菜種子５は、水耕野菜７へと成長していくのに従って、根の部分が下方へ伸びていくため、これに応じてより低い液位まで培養液４を入れることができる。
【００１５】
（実施例２）
図７を参照する。図は、本考案の使用状態図（三）である。また、図１、図４も合わせて参照する。図に示したように、本考案の溝体１は前述した直線配列状の他、カーブ状をなすことも可能である。この場合も同様に、配列した溝体１内に培養液４を入れて、野菜種子５を各固定フレーム２の吸着部品３２に置き、スライド板２を溝体１に跨らせるとともにスライド板２を掛止部２１によって溝体１の凸壁１１に係止して位置決めする。以上により、固定フレーム２の吸着部品３２が培養液４を吸着して、野菜種子５に養分を与え、野菜種子５が日毎に成長し水耕野菜となる。実施例２において、スライド板２は、溝体１に沿って溝体１の最末端までカーブ状に移動する。更に、機械アームで固定フレーム３を持ち上げて裏返し、育った水耕野菜を取り出すことができる。一つ目に置いたスライド板２と収穫したスライド板２が同じ方向にあるため、水耕野菜の栽培がより効率的になる。
【００１６】
（実施例３）
図８を参照する。図は、本考案の使用状態図（四）である。図に示したように、本考案の溝体１は前述した配列方法の他、より大型の溝体１をなすことも可能である。溝体１に培養液を入れて、各固定フレーム２の吸着部品３２に野菜種子を置き、吸着部品３２が培養液を吸着することにより、水耕野菜の栽培を行うとともに、栽培日数に応じてスライド板２を溝体１に沿って順に後方へスライドさせる。スライド板２を溝体１最末端まで移動させた後、成長した水耕野菜を収穫することができる。
【符号の説明】
【００１７】
１            溝体
１１   凸壁
１２   阻板
２            スライド板
２１   掛止部
２２   嵌込部
３            固定フレーム
３１   収容部
３２   吸着部品
３３   挟止部
４            培養液
５            野菜種子
６            阻板
７            水耕野菜
【図１】
0003193516.tif 000003
【図２】
0003193516.tif 000004
【図３】
0003193516.tif 000005
【図４】
0003193516.tif 000006
【図５】
0003193516.tif 000007
【図６Ａ】
0003193516.tif 000008
【図６Ｂ】
0003193516.tif 000009
【図６Ｃ】
0003193516.tif 000010
【図７】
0003193516.tif 000011
【図８】
0003193516.tif 000012